【手続補正書】
【提出日】令和2年8月24日(2020.8.24)
【手続補正１】
【補正対象書類名】明細書
【補正対象項目名】全文
【補正方法】変更
【補正の内容】
【発明の詳細な説明】
【発明の名称】閉じ込め式光変換器を含む光変換装置
【技術分野】
【０００１】
本発明は、閉じ込め式光変換器（confined light converter）を含む光変換装置、そのような光変換装置を含むレーザベースの光源、及びそのようなレーザベースの光源を含む車両ヘッドライトに関する。
【背景技術】
【０００２】
高輝度光源では、大抵の場合、例えば、レーザが発する青色光によって励起される光変換装置が使用される。光変換装置の蛍光体が、ヒートシンクと蛍光体との間に提供される接着剤又ははんだの層によってヒートシンクに接着される。特許文献１は、レーザビームが、サポートに固定された波長変換部材の上の光偏向器によってスキャンされるそのようなシステムの例である。そのようなシステムでは、特に青色レーザ光の高輝度と、蛍光体による光変換によって引き起こされる高温とによって、信頼性及び安全性の問題が生じ得る。
【先行技術文献】
【特許文献】
【０００３】
【特許文献１】欧州特許出願公開第３０１８００４号明細書
【発明の概要】
【０００４】
本発明の目的は、信頼性が向上した光変換装置を提供することである。
【０００５】
第１の態様によれば、光変換装置が提供される。光変換装置は、入光面（light entrance surface）及び発光面（light emission surface）を含む光変換器を有する。光変換器は、レーザ光を変換光に変換するように構成される。変換光のピーク発光波長（peak emission wavelength）は、レーザ光のレーザピーク発光波長よりも長い波長範囲にある。光変換装置は、光変換器を取り囲む閉じ込め構造をさらに有する。閉じ込め構造は、光変換器の機械的障害の場合に、光変換器の幾何学的形状を維持して、光変換装置の眼の安全性を高めるように構成される。
【０００６】
レーザベース（白色光）の光源は、輝度が約１Ｇｃｄ／ｍ２で高いため、車両、特に自動車のヘッドライトで現在検討中である。このようなレーザベースの光源では、強い青色のポンプレーザビームが、光変換器（蛍光体）に送られ、光変換器は、そのレーザを約７５％の変換光（黄色）と２５％の（散乱された）未変換のレーザ光で構成される白色光に変換する。そのような光源のよく知られた問題は、レーザの安全性である。障害が発生した場合に、ポンプレーザビームがレーザベースの光源から散乱されずに出ると、目を損傷させる可能性がある。従って、変換器の完全性を確保しなければならない。
【０００７】
光変換器の完全性を確保することは、静的光源の小型変換器（＜１ｍｍ２）ではなく、レーザスキャナ・システムの大型変換器（〜１ｃｍ２）にとって最も困難であり、そのシステムでは、ポンプレーザビームがマイクロミラーによって光変換器の上をスキャンする。
【０００８】
閉じ込め構造は、光変換器を閉じ込めるか、又は取り囲んでいるので、動作中に光変換器をバラバラにする（例えば、光変換中の熱負荷によって引き起こされる）可能性のある変換器材料の材料欠陥があっても、目の安全性に関して光変換器の完全性を危険にしない。光変換器の幾何学的形状は基本的に維持される。光変換装置の完全性は、光変換器を閉じ込め構造内に封入した後の基準測定によって決定することができる。光学的理由から、光変換器と閉じ込め構造の材料との間に光学的界面が存在するように、光変換器を閉じ込め構造に埋め込むことは望ましくない場合がある（下記参照）。
【０００９】
光変換器は、コリメートされたレーザ光を変換光に変換するようにさらに構成され得、その結果、コリメートされたレーザ光の放出方向が光変換器の入光面に直交する場合に、１００００μｍ２のサイズを有する発光面の表面素子によって放出される未変換のレーザ光の強度は、発光面に亘ってコリメートされたレーザ光の強度の規定されたパーセンテージ未満である。閉じ込め構造は、光変換器を閉じ込め構造内に閉じ込めるように構成され、その結果、１００００μｍ２のサイズを有する発光面の表面素子によって放出された未変換のレーザ光の強度は、規定されたパーセンテージプラス１０％未満、より好ましくは、光変換器の機械的障害の場合に、コリメートされたレーザ光の強度の規定されたパーセンテージプラス５％未満に留まる。
【００１０】
光変換装置は、例えば、２５％の未変換レーザ光のうちの規定されたパーセンテージが、上述の例に従って発光面によって放出されるように構成され得る。パーセンテージは、目的のカラーポイントと光変換器の変換器材料とに依存する。規定されたパーセンテージは、１８％〜３２％の間、好ましくは２０％〜３０％の間、最も好ましくは２２％〜２８％の間の範囲であり得る。光変換器は、光変換器のピースの相対的な動きが制限されるように、閉じ込め構造によって閉じ込められる。例えば、（光変換器の２つのピースの間の相対運動のために２つのピースの間に亀裂を含む）１００００μｍ２の基準表面によって放出される未変換のレーザ光の強度は、３５％未満、好ましくは３０％未満である。
【００１１】
光変換器は、入光面に直交する厚さｄによって特徴付けられ得る。閉じ込め構造は、光変換器の機械的障害の位置で、光変換器の破損片を入光面に直交する厚さｄで保持するように構成される。
【００１２】
光変換器の致命的な障害の場合であっても、目の安全を保証するために必要な閉じ込め構造によって課される幾何学的境界条件は、光変換器のサイズ、厚さ、及び形状（例えば、長方形又は円形）に依存し得る。従って、閉じ込め構造は、光変換器の破損片が、損傷を受けていない光変換器の元の位置の近くに保たれるように構成することができる。厚さｄは、通常、２０μｍ〜１００μｍの間であり得る。
【００１３】
閉じ込め構造は、例えば、入光面に平行な破損片の横方向のシフトを光変換器内の破損片の元の位置に対して３μｍ未満、好ましくは２μｍ未満、最も好ましくは１μｍ未満に制限するように構成され得る。横方向のシフトを回避又は少なくとも制限することにより、（変換器で散乱されない未変換のレーザ光が後続の光学装置に到達し、最終的に人の目に到達する可能性がある）光変換器のクラック又はスロットの可能な最大サイズが減少する。
【００１４】
閉じ込め構造は、閉じ込め構造と入光面との間、又は閉じ込め構造と発光面との間にギャップが存在するように配置され得る。入光面又は発光面に直交するギャップの幅が、２μｍ未満、好ましくは１μｍ未満、最も好ましくは０．５μｍ未満であり得る。ギャップによって、光変換器の表面と閉じ込め構造の隣接する表面との間の光学的減結合（optical decoupling）が可能になり、光学的損失を低減することができる。ギャップは、例えば、閉じ込め構造と入光面との間、又は閉じ込め構造と発光面との間に機械的接触があるが光学的接触がないように配置され得る。光学的接触がない、又は本質的に光学的接触がないということは、閉じ込め構造と光変換器のそれぞれの表面との間に少なくともマイクロギャップがあることを意味する。機械的接触があり得るが、閉じ込め構造又は光変換器の対応する表面の表面粗さは、光変換器の材料と閉じ込め構造との間に滑らかな界面を回避し、同時にレーザベースの光源の光学装置として機能し得る。
【００１５】
閉じ込め構造は、基板及び閉じ込めカバーを含み得る。光変換器は、基板と閉じ込めカバーとの間に閉じ込められる。少なくとも２つの別個の部品の間に光変換器を閉じ込めることにより、光変換装置の機械的及び光学的構造を簡素化することができる。閉じ込めカバーは、例えば、変換光及び未変換のレーザ光を光学的に操作するためのレンズ等の光学素子を含むことができる。光学素子は、レーザベースの光源の光学装置、特に車両ヘッドライトの光学装置に統合してもよい。光学装置は、変換光及び未変換のレーザ光を数メートルの距離に配置され得る画像平面に結像するように構成され得る。
【００１６】
一実施形態によれば、基板は、少なくともレーザピーク発光波長を含む波長範囲において少なくとも透明であり得る。入光面は、基板に隣接して配置され得る。この実施形態では、発光面は、入光面とは異なる。発光面は、閉じ込めカバーの表面に隣接して配置される。この透過的なアプローチでは、入光面と発光面とが分離されている。レーザ光は、基板に隣接する入光面を介して光変換器に入り、変換光及び未変換のレーザ光は、通常、光変換器を１回通過した後に、発光面を出る。入光面及び発光面は、通常、互いに平行である。
【００１７】
上述したように、基板は、入光面に機械的に接触しているが、光学的に接触していない場合がある。入光面と基板との間の光学的接触は、変換光及び特に未変換のレーザ光の基板への後方反射が増大し得るため、光学的損失を増大させる可能性がある。入光面は、オプションで、変換光の波長範囲では反射性であるが、レーザ光の波長範囲では透過性であるミラー層によって覆われてもよい。
【００１８】
光学素子は、代替的又は追加的に、発光面に機械的に接触しているが光学的に接触していない場合がある。空気と比較して光学素子の比較的高い屈折率は、閉じ込め構造によって構成される光学素子と光変換器との間に光学的接触がある場合に、光変換器の放出開口数を増加させる可能性がある。従って、光学的接触の場合に、光学的損失を回避するために、光学素子のより高い開口数が必要となろう。従って、そのような光学的接触を回避することで、効率的（光学的損失のない）で費用効果の高いレーザベースの光源（光学装置の開口数に関する要件が緩和される）が可能になる。
【００１９】
基板は、光変換装置の代替実施形態によれば、反射構造に結合してもよい。反射構造は、光変換器の入光面を介して受け取ったレーザ光及び変換光を反射するように配置される。入光面は、少なくとも部分的に発光面と同一であってもよい。この実施形態では、光変換装置は、いわゆる反射アプローチに従って配置される。変換光の一部及び未変換のレーザ光は、光変換器を少なくとも２回通過することがある。光変換器の完全性が十分ではないため、閉じ込め構造は、透過的アプローチとは対照的に、そのような反射セットアップにおいて、ソリューションの一部のみを提供し得る。ポンプレーザ光は、依然として、例えば、シフトされたポンプ光学系（例えば、レーザ光を光変換器に集束するように配置されたレンズ）又は光変換器上の反射性粒子によって、光源の外に偏向され得る。
【００２０】
上述の任意の実施形態による光変換装置は、障害検出センサ（failure sensor）を含み得る。障害検出センサは、閉じ込め構造の損傷を検出するように構成される。障害検出センサは、例えば、閉じ込め構造の機械的損傷の場合に、電気抵抗、静電容量、又は温度の変化を検出するように構成され得る。閉じ込め構造は、光変換器と比較して、例えば、その中に又はその上に金属線又は面（faces）を容易に設けることができるガラス等の頑丈な透明材料から構成することができる。
【００２１】
障害検出センサは、例えば、基板に対する閉じ込めカバーの相対的な動きを検出するように構成され得る。障害検出センサは、閉じ込め構造の全てのサブ要素又はサブ構造の相対的な動きを検出して、目の安全に関して危険であり得る閉じ込め構造及び／又は光変換器の潜在的な損傷を判断するように構成され得る。障害検出センサは、発光に関して制限を課すことなく、光変換装置の本質的に全ての潜在的な損傷を検出できるという利点を有し得る。
【００２２】
更なる態様によれば、レーザベースの光源が提供される。レーザベースの光源は、上述したような光変換装置と、レーザ光を放出するように適合された少なくとも１つのレーザとを含む。
【００２３】
レーザベースの光源は、例えば、青色レーザ光を放出する（例えば、アレイとして配置された）２つ、３つ、４つ、又はそれ以上のレーザを含み得る。
【００２４】
レーザベースの光源は、障害検出器をさらに含み得る。障害検出器は、上述した障害検出センサと結合される。障害検出器は、閉じ込め構造の損傷を検出すると、制御信号を生成するように構成される。レーザベースの光源は、レーザベースの光源の動作中に制御信号を検出すると、少なくとも１つのレーザのスイッチをオフにするように構成される。
【００２５】
更なる態様によれば、車両ヘッドライトが提供される。車両ヘッドライトは、上述したような少なくとも１つのレーザベースの光源を含む。車両ヘッドライトは、上述したように、２つ、３つ、４つ、又はそれ以上のレーザベースの光源を含み得る。この場合に、光変換器は、黄色の蛍光体ガーネット（例えば、Ｙ（３−０．４）Ｇｄ０．４，Ａｌ５Ｏ１２：Ｃｅ）を含むか、又はそれから構成してもよい。青色レーザ光と黄色の変換光との混合光を使用して、上述したように白色光を生成することができる。
【００２６】
本発明の好ましい実施形態は、従属請求項とそれぞれの独立請求項との任意の組合せとすることもできることを理解されたい。
【００２７】
更なる有利な実施形態を以下に規定する。
【図面の簡単な説明】
【００２８】
本発明のこれら及び他の態様は、以下に記載される実施形態を参照して明らかになり、解明されよう。
次に、添付の図面を参照しながら、実施形態に基づいて、本発明を一例として説明する。
【図１】先行技術のレーザベースの光源の主要な略図である。
【図２】第１の実施形態による光変換装置を含む第１のレーザベースの光源の主要な略図である。
【図３】光変換器の機械的障害の主要な略図である。
【図４】第２の実施形態による光変換装置を含む第２のレーザベースの光源の主要な略図である。
【図５】第３の実施形態による光変換装置を含む第３のレーザベースの光源の主要な略図である。
【図６】第４の実施形態による光変換装置を含む第４のレーザベースの光源の主要な略図である。
【図７】第５の実施形態による光変換装置を含む第５のレーザベースの光源の主要な略図である。
【図８】第５の実施形態による光変換装置の上面の主要な略図である。  図中、同様の番号は全体を通して同様の対象物を指す。図中の対象物は、必ずしも一定の縮尺で描かれているわけではない。
【発明を実施するための形態】
【００２９】
次に、本発明の様々な実施形態を図によって説明する。
【００３０】
図１は、光変換器１３０の障害を伴う従来技術のレーザベースの光源の主要な略図を示す。レーザ光１０は、透過構成で、レーザ１１０によって光変換器１３０に放出される。光変換器１３０は、入光面を含む結合層１２０（例えばシリコーン接着剤）によって透明基板１１５に接着される。光変換器１３０のピース１３１が、破損し、それによって未変換のレーザ光１１の強度が変換光２０と比較して局所的に増大する。このような障害は、極端な場合には、光変換器１３０を介してレーザ光のコリメート・ビーム１０を透過させる可能性がある。未変換のレーザ光１１の強度の増大は、目の安全規制に関して許容できない場合がある。
【００３１】
図２は、第１の実施形態による、レーザ１１０及び光変換装置を含む第１のレーザベースの光源の主要な略図を示す。光変換装置は、閉じ込め構造１５０によって閉じ込められる光変換器１３０を含む。閉じ込め構造１５０は、透明基板１１５及び閉じ込めカバー１４０を含む。レーザ光１０は、レーザ１１０によって透明基板１１５を介して放出され、且つ入光面を介して光変換器に入る。光変換器１３０は、結合層１２０（例えば、シリコーン接着剤）によって透明基板１１５に取り付けられる。閉じ込めカバー１４０は、変換光１１及び未変換のレーザ光２０を閉じ込めカバー１４０を介して後続の光学装置（図示せず）に伝えるように、透明な材料を含む。閉じ込めカバー１４０は、例えば長方形の光変換器１３０の側面が閉じ込めカバー１４０によって緊密に取り囲まれるように、基板１１５に取り付けられる。光変換器１３０の側面は、閉じ込めカバー１４０と機械的に接触する。光変換器１３０の発光面と閉じ込めカバー１４０との間に、小さなギャップが設けらる。小さなギャップは、光変換器１３０と閉じ込めカバー１４０との間の光学的接触を防ぎ、光学的損失（例えば、例えば全反射による光の光変換器１３０への後方反射）を減らす。変換光１１及び未変換のレーザ光２０が閉じ込め構造１５０を出る閉じ込めカバー１４０の表面は、反射防止コーティングで覆われ得る。明確にするために、ギャップのサイズは図２で誇張される。光変換器１３０の発光面に直交するギャップの幅は、０．５μｍであり得る。ギャップのサイズは非常に小さいので、光変換器１３０の破損片１３１は、光変換器１３０内のその元の位置にほぼ閉じ込められる。従って、未変換のレーザ光２０の局所的強度は、安全制限を超えることなく僅かしか増大しない。
【００３２】
図３は、光変換器１３０の機械的障害の主要な略図を示す。この例は、光変換器１３０が２つの部分に破損し、破損した部分１３１が光変換器１３０内の元の位置と比較して横方向にシフトする最悪のシナリオを示す。光変換器１３０は、図３の平面における幅Ｌ（例えば、１００μｍ〜２０００μｍの間）及び厚さｄ（例えば、５０μｍ）を有する長方形の形状を特徴とする。光変換器１３０のプレートが、透明な閉じ込め構造１５０によって取り囲まれている。光変換器１３０の入光面が、閉じ込め構造１５０に取り付けられる。光変換器１３０の発光面と閉じ込め構造１５０との間に、幅ｇのギャップが設けられる。破損片１３１の厚さは、光変換器１３０の厚さｄと同じである。一方の側の三角形状の破損片１３１の横方向のシフトにより、幅ｃのスロットが生じ、これにより、光変換装置を介した未変換のレーザ光（図示せず）の伝導が可能になる。図３の平面における破損片１３１の三角形の横方向の伸長部は、ａによって与えられる。その結果、最大幅ｃ＝ａｍａｘ＊ｇ／ｄとなり、破損片１３１の最大横方向伸長部は、ａｍａｘ＝Ｌ−２＊ｃによって与えられる。入光面が受け取るレーザ光のスポットの形状は、通常、長方形であり（レーザダイオードのイメージされた出射ファセット）、強く拡大される。入光面上のスポットのサイズは、例えば、５００×５０μｍ２であり得る。スポットの合計光パワーは３Ｗになり得る。そのレーザスポットは、静的な（スキャンなし）最悪のシナリオである可能性がある。スロットの幅はｃ＝３μｍであり得る。これにより、スロットに対する長方形のスポットの相対位置に応じて、スロットから放出される合計光パワーが１８ｍＷ又は１８０ｍＷになり、スロットでの光回折が無視され、レーザビームの発散が増大する。スロットでの光回折による追加の発散は７．５°となる（幅が３μｍのスロットでの平面波の回折）。追加の発散は、適切な距離（例えば、５ｍ）で強度を許容レベルに下げるのに十分であり得る。適切な距離での強度は、レーザベースの光源のその後の光学的配置にさらに依存する。こうして、光学的配置全体を解析して、閉じ込め構造１５０によって課される正確な幾何学的境界条件を決定する必要がある。
【００３３】
最悪のシナリオは非常にまれである。例えば、光変換器の通常の多結晶材料（例えば、セラミック蛍光体材料）が図３で説明した方法で破損することは殆どない。従って、図３で説明したような直線スロットがないため、レーザ光は通常さらに偏向される。従って、ギャップｇの幅は、図３で説明したシナリオと比較して、現実的なシナリオでは、目の損傷の実質的なリスクなしに、より広くなり得る。
【００３４】
図４は、第２の実施形態による光変換装置を含む第２のレーザベースの光源の主要な略図を示す。第２の実施形態は、図２に関して説明した第１の実施形態に非常に類似している。光変換器１３０は、透明基板１１５と閉じ込めカバー１４０との間に機械的にクランプされる。透明基板１１５及び閉じ込めカバー１４０は、閉じ込めカバー１４０が光変換器１３０を取り囲むように互いに結合される。透明基板１１５は、この場合、レーザ１１０によって放出されたレーザ光１０を光変換器１３０に導く光ガイドである。光変換器１３０の入光面及び発光面の粗さは、光ファイバ及び閉じ込めカバー１４０への機械的接触はあるが本質的に光学的接触がないように構成される。光ファイバ及び閉じ込めカバー１４０による機械的クランプは、光変換器１３０の破損片１３１のいかなる動きも本質的に回避する。
【００３５】
図５は、第３の実施形態による光変換装置を含む第３のレーザベースの光源の主要な略図を示す。一般的な構成も、図２及び図４に関して説明したのと同様である。閉じ込め構造１５０は、この実施形態では、透明基板１１５、側面閉じ込め部１４１、及び光学素子１４３を含む。追加の機械的クランプ（図示せず）は、光変換器１３０を透明基板１１５と光学素子１４３との間にクランプするために使用することができ、光変換器１３０の側面は、側面閉じ込め部１４１（例えば、光変換器１３０の形状及びサイズに従って配置された孔を含むセラミック又は鋼板）によって取り囲まれる。光変換装置は、ここでは、透明基板１１５、側面閉じ込め部１４１、及び光学素子１４３を横切って延びる導電性トラックである障害検出センサ（failure sensor）２１０をさらに含む。導電性トラックは、透明基板１１５、側面閉じ込め部１４１、及び光学素子１４３の間の相対的な動きによって生じ得る導電性トラックの欠陥を（例えば、電気抵抗を検出することによって）検出するように構成されるレーザベースの光源の障害検出器２００に結合される。導電性トラックは、閉じ込め構造１５０の要素のそれぞれの本質的に相対的な動きを検出できるように、閉じ込め構造１５０の周りに曲がりくねったパターンで配置され得る。
【００３６】
図６は、第４の実施形態による光変換装置を含む第４のレーザベースの光源の主要な略図を示す。光変換器１３０は、透明基板１１５（光ガイド）、図６に関して説明したのと同様の側面閉じ込め部１４１、及び光学素子１４３を含む閉じ込め構造１５０によって閉じ込められる。光変換器１３０は、この実施形態では光取り出し（light outcoupling）ドーム（例えば、サファイア半球）である光学素子１４３に熱的又は反応的に結合される。側面閉じ込め部は、光変換器１３０の横方向伸長部に緊密に適合する金属板である。光ファイバ及び側面閉じ込め部１４１は、光ファイバと光変換器１３０との間に２μｍの小さなギャップがあるように配置される。小さなギャップは、光変換器１３０の破損片１３１を光変換器１３０内のほぼその元の位置に閉じ込める。障害検出センサ２１０及び障害検出器２００は、図５に関して説明したのと同様の方法で提供され、光ファイバ、側面閉じ込め部１４１、及び光取り出しドーム１４３の間のその小さな相対運動を検出することができる。障害検出センサ２１０は、代替的又は追加的に、側面閉じ込め部１４１の近くに配置されて、光変換器１３０及び／又は閉じ込め構造１５０の障害によって生じ得るレーザベースの光源の動作中の温度変化を検出する熱電対を含み得る。
【００３７】
図７は、第５の実施形態による光変換装置を含む第５のレーザベースの光源の主要な略図を示す。第５の実施形態は、光変換器１３０の入光面及び発光面が本質的に同じである反射構成である。光変換器１３０は、基板１１５と閉じ込めカバー１４０との間に閉じ込められる。基板１１５は、光変換器１３０に隣接して配置された反射構造１３７を含み、未変換のレーザ光１１及び変換光２０は、反射構造１３７によって反射される。閉じ込め構造１５０の閉じ込めカバー１４０は、基板１１５に接着され、それにより、光変換器１３０の破損片１３１の相対的な動きが本質的に抑制される。レーザベースの光源は、障害検出センサ２１０及び障害検出器２００をさらに含む。障害検出センサ２１０は、コンデンサとして配置され、コンデンサの一方の側が、閉じ込めカバー１４０内の光変換器１３０の周りに配置される。コンデンサの他方の側が、基板１１５内に配置される。コンデンサの両方のプレートは、第５の実施形態による光変換装置の上面図の主要な略図を示す図８に示されるように、互いに整列される。基板１１５に対する閉じ込めカバー１４０の変位は、静電容量の変化を引き起こし、これは、障害検出器２００によって検出することができる。
【００３８】
本発明を図面及び前述の説明において詳細に例示及び説明してきたが、そのような例示及び説明は、例又は例示であり、限定的ではないと見なすべきである。
【００３９】
本開示を読むことにより、当業者には他の修正が明らかになろう。そのような修正は、当技術分野で既に知られており、本明細書で既に説明した特徴の代わりに、又はそれに加えて使用することができる他の特徴を含み得る。
【００４０】
開示された実施形態に対する変形は、図面、明細書の開示、及び添付の特許請求の範囲の検討から、当業者によって理解され、達成され得る。特許請求の範囲において、「備える、有する、含む（comprising）」という言葉は、他の要素又はステップを除外するものではなく、不定冠詞「１つの（a, an）」は複数の要素又はステップを排除するものではない。特定の手段が互いに異なる従属請求項に記載されている単なる事実は、これらの手段の組合せを有利に使用できないことを示すものではない。
【００４１】
請求項における参照符号は、その範囲を限定するものとして解釈すべきではない。
【符号の説明】
【００４２】
１０    レーザ光
１１    未変換のレーザ光
２０    変換光
１１０  レーザ
１１５  基板、透明構造
１２０  結合層
１３０  光変換器
１３１  破損片
１３７  反射構造
１４０  閉じ込めカバー
１４１  側面閉じ込め部
１４３  光学素子
１５０  閉じ込め構造
２００  障害検知器
２１０  障害検出センサ
ａ、ａｍａｘ  破損片の（最大）横方向伸長部
ｃ          破損片の横シフトによって与えられるスロットの幅
ｄ          光変換器の厚さ
ｇ          光変換器の発光面と閉じ込め構造との間のギャップの幅
Ｌ          光変換器の横方向伸長部